(57)【要約】【課題】眼鏡レンズの反り角を簡単かつ容易に測定することができる眼鏡用測定具を提供する。【解決手段】眼鏡用測定具１は、透光材からなるプレート２を備え、このプレート２の前面で透光部分３ａに眼鏡フレームに装着された左右の眼鏡レンズの反り角を測定する測定部Ａを設ける。この反り角測定部Ａは、反り角測定用水平基準線２０と、この水平基準線２０に対してそれぞれ異なった角度で交差する複数本の表示目盛２１ａ〜２１ｅからなり、左右対称に表示された左レンズ用反り角表示目盛２１Ｌおよび右レンズ用反り角表示目盛２１Ｒを備え、各表示目盛２１ａ〜２１ｅには前記水平基準線２０に対する傾斜角度を示す数値２３が表示されている。【選択図】  図１
2009092509.tif 000002
【特許請求の範囲】
【請求項１】
透光材からなるプレートであって、このプレートの透光部分に眼鏡フレームに装着された左右の眼鏡レンズの反り角を測定する測定部を設けてなり、この反り角測定部は、反り角測定用水平基準線と、この水平基準線に対してそれぞれ異なった角度で交差する複数本の表示目盛からなり、左右対称に表示された左レンズ用反り角表示目盛および右レンズ用反り角表示目盛を備え、前記各表示目盛には前記水平基準線に対する傾斜角度を示す数値が表示されていることを特徴とする眼鏡用測定具。
【請求項２】
請求項１記載の眼鏡用測定具において、
前記プレートに眼鏡レンズの傾斜角を測定する測定部を設けてなり、この傾斜角測定部は、傾斜角測定用垂直基準線と、この測定用垂直基準線に対してそれぞれ異なった角度で交差する複数本の傾斜角測定用表示目盛とを備え、各表示目盛には前記垂直基準線に対する傾斜角を示す数値が表示されていることを特徴とする眼鏡用測定具。
【請求項３】
請求項１または２記載の眼鏡用測定具において、
前記プレートに眼鏡レンズと瞳孔の頂点間距離を測定する測定部を設けてなり、この頂点間距離測定部は頂点間距離測定用表示目盛を備え、この表示目盛には頂点間距離を示す数値が表示されていることを特徴とする眼鏡用測定具。
【請求項４】
請求項１、２、３のうちのいずれか一項に記載の眼鏡用測定具において、
前記プレートに瞳孔間距離を測定する瞳孔間距離測定部を設けてなり、この瞳孔間距離測定部は、フレーム枠のデータムラインを示すＰＤ用水平基準線と、それぞれ前記ＰＤ用水平基準線を基準とした左右眼の瞳孔の横方向の位置を読取るための左眼用瞳孔水平位置読取用表示目盛および右眼用瞳孔水平位置読取用表示目盛とを備え、前記各瞳孔水平位置読取用表示目盛には左右のフレーム枠の幾何学中心点間距離の半分の値を示す数値が表示されていることを特徴とする眼鏡用測定具。
【請求項５】
請求項４記載の眼鏡用測定具において、
前記瞳孔間距離測定部は、遠用瞳孔間距離を測定する遠用瞳孔間距離測定部と、近用瞳孔間距離を測定する近用瞳孔間距離測定部を備えていることを特徴とする眼鏡用測定具。
【請求項６】
請求項１〜５のうちのいずれか一項に記載の眼鏡用測定具において、
前記プレートの端縁部に拡がり部を一体に設け、この拡がり部の端縁に眼鏡レンズの凸面カーブを測定する測定部を設けてなり、この凸面カーブ測定部は、各種眼鏡レンズの凸面カーブに対応して形成された複数個の凹曲面部を備え、各凹曲面部には凸面カーブを示す数値が表示されていることを特徴とする眼鏡用測定具。
【請求項７】
請求項１〜６のうちのいずれか一項に記載の眼鏡用測定具において、
前記プレートにレンズ径を測定する測定部を設けてなり、このレンズ径測定部は、各種のレンズ径に対応して同心円状に表示された複数本のレンズ径測定用曲線を備え、各曲線には対応するレンズ径を表示する数値が表示されていることを特徴とする眼鏡用測定具。
【請求項８】
請求項１〜７のうちのいずれか一項に記載の眼鏡用測定具において、
前記プレートに左右眼の下方回旋量を測定する測定部を設けてなり、この回旋測定部は、左眼の下方回旋量を読み取る左眼回旋測定用表示目盛と、右眼の下方回旋量を読み取る右眼回旋測定用表示目盛とを備え、各表示目盛には下方回旋量を示す数値が表示されていることを特徴とする眼鏡用測定具。
【請求項９】
請求項１〜８のうちのいずれか一項に記載の眼鏡用測定具において、
前記プレートにアイポイント高さを測定する測定部を設けてなり、このアイポイント高さ測定部は、アイポイント高さを読み取るアイポイント高さ測定用表示目盛を備え、この表示目盛にはアイポイント高さを示す数値が表示されていることを特徴とする眼鏡用測定具。
【請求項１０】
請求項１〜９のうちのいずれか一項に記載の眼鏡用測定具において、
前記プレートに視力判定用測定部を設けたことを特徴とする眼鏡用測定具。
【請求項１１】
請求項１０記載の眼鏡用測定具において、
前記視力判定用測定部が穴径の異なる複数個のピンホールを備えていることを特徴とする特徴とする眼鏡用測定具。
【発明の詳細な説明】
【技術分野】
【０００１】
本発明は、眼鏡レンズの反り角を測定する眼鏡用測定具に関し、さらには瞳孔間距離、頂点間距離、レンズの傾斜角、凸面カーブ、レンズ径、瞳孔の下方回旋量、アイポイント高さ等をも測定可能にした眼鏡用測定具に関するものである。
【背景技術】
【０００２】
レンズ玉型（未加工のレンズ）を眼鏡フレームの左右の枠部形状に適合するように縁摺り加工するときには、眼鏡装用者の左右の眼のアイポイント（眼鏡フレームを装用したとき、眼鏡フレームにおける装用者の左右眼の瞳孔位置、以下ＩＰともいう）と左右レンズの光学中心とがずれていると、装用感に大きく影響するため、左右の瞳孔間距離（以下、ＰＤともいう）、または鼻梁の中心から左右の瞳孔までの距離（片眼ＰＤ）を正確に測定して左右のレンズの光学中心点間距離を決定し、各レンズの光学中心と左右の眼のＩＰが一致するように各レンズを加工する必要がある。このため、例えば特許文献１、２、３等に開示された測定具によってＰＤや片眼ＰＤを測定している。
【０００３】
また、縁摺り加工された眼鏡レンズ、特に遠近両用の累進多焦点レンズを枠入れするときは、装用者の遠用視線が眼鏡レンズの遠用中心を通り、近用視線が近用中心を通るようにフレーム枠に枠入れする必要があるため、このような遠、近用視線の測定も行われている（例えば、特許文献４、５等参照）。
【０００４】
ところで、眼鏡レンズの反り角は、眼鏡を装着した状態において、左右方向水平線に対する水平面内における前後方向の傾斜角度で、レンズの内側端縁（ブリッジ側端縁）が外側端縁（テンプル側端縁）より前方に位置するように傾斜している場合は外反り、反対にブリッジ側端縁がテンプル側端縁より後方に位置するように傾斜している場合は内反りと称している。基本的には、レンズの反り角が零で視線の向き（視軸）とレンズの光軸とが一致していることが望ましい。このため、一般の眼鏡は左右の眼に対してレンズが前方で平行に保持されるように調整されている。
【０００５】
レンズの反り角がずれて視線と光軸とが傾斜（斜光）してしまうと、正面視のみならず見え方に大きく影響する。すなわち、斜光した方向の屈折度は大きくなるため、外反りレンズの場合は、近視用のマイナス度数では網膜像が横方向に縮小して見え、遠視用のプラス度数では網膜像が横方向に拡大して見える。また、両眼視をしているため、側方に視線を転じた場合には、左右の眼でそれぞれ斜光角度が異なった状態で見ることになり、また近方視においては正面視に対してさらに斜光角度が大きくなるため、いずれも装用時の違和感が増幅してしまうため、反り角の十分なチェックが必要である。
【０００６】
特に、昨今では一般的な視力補正用の眼鏡にもサングラス風の形状で、深いレンズカーブを必要とする外にせり出した状態（外反り）のフレームが増えてきており、レンズ選択時や加工条件（カーブと位置）の設定時に、出来上がった眼鏡単体および装着時のそれぞれのレンズでずれを最小限にするよう十分に注意する必要がある。
【０００７】
【特許文献１】特開２００１−１６１６４５号公報
【特許文献２】特開平８−９８８１０号公報
【特許文献３】実開平５−６４８２４号公報
【特許文献４】実開昭６３−１２０２２５号公報
【特許文献５】特開平６−１３８４２２号公報
【発明の開示】
【発明が解決しようとする課題】
【０００８】
しかしながら、眼鏡レンズの反り角を測定する測定具は、未だ存在せず、安価で簡単かつ容易に測定することができる反り角測定具の開発が要請されている。
【０００９】
本発明は上記したような従来の問題を解決するためになされたもので、その目的とするところは、眼鏡レンズの反り角を簡単かつ容易に測定することができる眼鏡用測定具を提供することにある。
【００１０】
また、本発明は、１つの測定具でありながら反り角測定に加えてレンズの傾斜角（前傾角）、頂点間距離、瞳孔間距離、凸面カーブ、レンズ径、瞳孔の下方回旋量、アイポイント高さ等の測定も可能で、レンズ仕様の確認を容易に行うことができる眼鏡用測定具を提供するものである。
【課題を解決するための手段】
【００１１】
上記目的を達成するために本発明は、透光材からなるプレートであって、このプレートの透光部分に眼鏡フレームに装着された左右の眼鏡レンズの反り角を測定する測定部を設けてなり、この反り角測定部は、反り角測定用水平基準線と、この水平基準線に対してそれぞれ異なった角度で交差する複数本の表示目盛からなり、左右対称に表示された左レンズ用反り角表示目盛および右レンズ用反り角表示目盛を備え、前記各表示目盛には前記水平基準線に対する傾斜角度を示す数値が表示されているものである。
【００１２】
また、本発明は、前記プレートに眼鏡レンズの傾斜角を測定する測定部を設けてなり、この傾斜角測定部は、傾斜角測定用垂直基準線と、この測定用垂直基準線に対してそれぞれ異なった角度で交差する複数本の傾斜角測定用表示目盛とを備え、各表示目盛には前記垂直基準線に対する傾斜角を示す数値が表示されているものである。
【００１３】
また、本発明は、前記プレートに眼鏡レンズと瞳孔の頂点間距離を測定する測定部を設けてなり、この頂点間距離測定部は頂点間距離測定用表示目盛を備え、この表示目盛には頂点間距離を示す数値が表示されているものである。
【００１４】
また、本発明は、前記プレートに瞳孔間距離を測定する瞳孔間距離測定部を設けてなり、この瞳孔間距離測定部は、フレーム枠のデータムラインを示すＰＤ用水平基準線と、それぞれ前記ＰＤ用水平基準線を基準とした左右眼の瞳孔の横方向の位置を読取るための左眼用瞳孔水平位置読取用表示目盛および右眼用瞳孔水平位置読取用表示目盛とを備え、前記各瞳孔水平位置読取用表示目盛には左右のフレーム枠の幾何学中心点間距離の半分の値を示す数値が表示されているものである。
【００１５】
また、本発明は、前記瞳孔間距離測定部が遠用瞳孔間距離を測定する遠用瞳孔間距離測定部と近用瞳孔間距離を測定する近用瞳孔間距離測定部を備えているものである。
【００１６】
また、本発明は、前記プレートの端縁部に拡がり部を一体に設け、この拡がり部の端縁に眼鏡レンズの凸面カーブを測定する測定部を設けてなり、この凸面カーブ測定部は、各種眼鏡レンズの凸面カーブに対応して形成された複数個の凹曲面部を備え、各凹曲面部には凸面カーブを示す数値が表示されているものである。 
【００１７】
また、本発明は、前記プレートにレンズ径を測定する測定部を設けてなり、このレンズ径測定部は、各種のレンズ径に対応して同心円状に表示された複数本のレンズ径測定用曲線を備え、各曲線には対応するレンズ径を表示する数値が表示されているものである。
【００１８】
また、本発明は、前記プレートに左右眼の下方回旋量を測定する測定部を設けてなり、この回旋測定部は、左眼の下方回旋量を読み取る左眼回旋測定用表示目盛と、右眼の下方回旋量を読み取る右眼回旋測定用表示目盛とを備え、各表示目盛には下方回旋量を示す数値が表示されているものである。
【００１９】
また、本発明は、前記プレートにアイポイント高さを測定する測定部を設けてなり、このアイポイント高さ測定部は、アイポイント高さを読み取るアイポイント高さ測定用表示目盛を備え、この表示目盛にはアイポイント高さを示す数値が表示されているものである。
【００２０】
また、本発明は、前記プレートに視力判定用測定部を設けたものである。
【００２１】
さらに、本発明は、前記視力判定用測定部が穴径の異なる複数個のピンホールを備えているものである。
【発明の効果】
【００２２】
本発明においては、反り角測定部を備えているので、眼鏡レンズが外反りであるか内反りであるかを測定することができる。
【００２３】
本発明においては、傾斜角測定部を備えているので、眼鏡レンズの傾斜角を測定することができる。
【００２４】
本発明においては、頂点間距離測定部を備えているので、レンズ後側頂点と角膜前面頂点（頂点間距離）を測定することができる。
【００２５】
本発明においては、遠用と近用の瞳孔間距離測定部を備えているので、遠用瞳孔間距離および近用瞳孔間距離を測定することができる。
【００２６】
本発明においては、凸面カーブ測定部を備えているので、レンズの凸面カーブを測定することができる。
【００２７】
本発明においては、レンズ径測定部を備えているので、レンズ径を測定することができる。
【００２８】
本発明においては、回旋測定部を備えているので、左右眼の下方回旋量を測定することができる。
【００２９】
本発明においては、アイポイント高さ測定部を備えているので、アイポイント高さを測定することができる。
【００３０】
さらに、本発明においては、視力判定用測定部を備えているので、通常のレンズまたはコンタクトレンズによる視力矯正が可能か否かを測定することができる。
【発明を実施するための最良の形態】
【００３１】
以下、本発明を図面に示す実施の形態に基づいて詳細に説明する。
図１は本発明に係る眼鏡用測定具の一実施の形態を示す正面図、図２は眼鏡用測定具の要部の背面図である。これらの図において、全体を符号１で示す眼鏡用測定具は、透明材からなるプレート２を備えている。プレート２は、厚さが１ｍｍ程度の透明なプラスチック板によって正面視略Ｊ字状に形成されることにより、左右方向に長い略矩形のプレート本体２Ａと、このプレート本体２Ａの一側端縁に一体に延設された拡がり部２Ｂとで構成されている。また、プレート２は、略全長にわたって高さ方向中央部より下半分が透明な部分３ａで、上半分が不透明な部分３ｂを形成している。このような透明部分３ａと不透明部分３ｂとを有するプレート２は、周知の二色成形法によって形成するか、もしくは不透明部分３ｂとなる部分に不透明なシートを貼着することにより容易に製作することができる。
【００３２】
プレート本体２Ａは、１４５ｍｍ×４３ｍｍ程度の大きさで、右上隅には４×４ｍｍの矩形の切欠部４が形成され、高さ方向中央には左右一対の瞳孔間距離測定用窓５Ｌ、５Ｒが形成され、さらに下端縁６の中央にはＶ字状の凹部７が形成されている。各瞳孔間距離測定用窓５Ｌ、５Ｒは、長さが３３ｍｍ、幅が１２ｍｍ程度の左右方向に長い長孔からなり、長手方向中心線が透明部分３ａと不透明部分３ｂの境界を示す水平線８と一致するように形成されている。また、この水平線８は、フレーム本体２Ａの中心Ｏを通る水平線であって、フレーム枠のデータムライン（眼鏡フレームにおける左右の枠部（フレーム枠）の幾何学中心点間を結ぶ仮想水平線）を示すＰＤ用水平基準線を形成している。「左右の枠部の幾何学中心点」とは、各枠部に装着されるべきレンズにおける左端と右端の間の中間位置と、レンズの形状の上端と下端の間の中間位置とによって決まる点である。
【００３３】
さらに、瞳孔間距離測定用窓５Ｌ、５Ｒは、プレート本体２Ａの中心Ｏの両側に等距離離間して位置するように形成されている。瞳孔間距離測定用窓５Ｌと５Ｒの間隔は、２７ｍｍ程度である。
【００３４】
前記凹部７は、眼鏡レンズの測定時に被検者の鼻梁がプレート本体２Ａの下端縁６に当たらないようにするために設けられるもので、前記中心Ｏを通る垂直線９の真下に位置するように形成されている。
【００３５】
前記拡がり部２Ｂは、プレート本体２Ａの左側縁に一体に突設された概略台形状の突出部からなり、上端縁１０がプレート本体２Ａの上端縁１１と同一高さで３７ｍｍ程度の長さを有し、下端部がプレート本体２Ｂの左側縁の下方に２０ｍｍ程度延在し、上端縁１０の左端１０ａと右側縁１２の下端１２ａを接続する左側縁部１３が曲率半径の異なる４つの凹曲面部１４ａ〜１４ｄと、５つの直線面部１４ｅ〜１４ｉとで構成されている。凹曲面部１４ａ〜１４ｄと直線面部１４ｅ〜１４ｉは、交互に形成されている。
【００３６】
このようなプレート２の前面で透明部分３ａと不透明部分３ｂには、合計１０個の測定部、すなわち反り角測定部Ａと、遠用瞳孔間距離測定部Ｂと、近用瞳孔間距離測定部Ｃと、頂点間距離測定部Ｄと、傾斜角測定部Ｅと、凸面カーブ測定部Ｆと、レンズ径測定部Ｇと、回旋測定部Ｈと、アイポイント高さ測定部Ｉおよび視力判定用測定部Ｊとが設けられている。なお、遠用瞳孔間距離測定部Ｂと近用瞳孔間距離測定部Ｃを総称して呼ぶときは、単に瞳孔間距離測定部という。
【００３７】
前記反り角測定部Ａは、左右の眼鏡レンズの反り角を測定する部分で、反り角測定用水平基準線２０と、この反り角測定用水平基準線２０に対してそれぞれ５°間隔で交差する６本の角度表示目盛２１ａ〜２１ｆとからなり、前記垂直線９を挟んで左右対称に表示された左レンズ用反り角表示目盛２１Ｌおよび右レンズ用反り角表示目盛２１Ｒを備えている。反り角測定用水平基準線２０は、瞳孔間距離測定用窓５Ｌ、５Ｒの下縁と一致するように前記水平基準線８の下方にこれと平行に表示されている。前記各角度表示目盛２１ａ〜２１ｆには、前記ＰＤ用水平基準線２０に対する傾斜角度を示す−５°、５°、１０°、１５°、２０°、２５°の数値２３が表示されている。表示目盛２１ａは、反り角測定用水平基準線２０より上方に位置し、眼鏡レンズの内反り角度−５°を表示する。表示線２１ｂ〜２１ｆは、反り角測定用水平基準線２０より下方に位置し、眼鏡レンズの外反り角度５°、１０°、１５°、２０°、２５°をそれぞれ表示する。なお、表示目盛２１ｆについては、他の表示目盛と重なり合っているため角度表示を省略している。
【００３８】
前記遠用瞳孔間距離測定部Ｂは、遠方視しているときの遠用瞳孔間距離（ＦＰＤ）を測定する部分で、前記瞳孔間距離測定用窓５Ｌ、５Ｒと、ＰＤ用水平基準線８と、それぞれ前記ＰＤ用水平基準線８を基準とした左右眼の瞳孔の横方向の位置を読取るための左眼遠用瞳孔水平位置読取用表示目盛２６Ｌおよび右眼遠用瞳孔水平位置読取用表示目盛２６Ｒとを備えている。これらの瞳孔水平位置読取用表示目盛２６Ｌと２６Ｒは、前記瞳孔間距離測定用窓５Ｌ、５Ｒの上縁に沿ってそれぞれ１ｍｍ間隔で表示されており、プレート本体２Ａの前記中心Ｏからの距離を示す２０ｍｍ、３０ｍｍ、４０ｍｍの数値２７が表示されている。この数値２７は、左右のフレーム枠の幾何学中心点間距離の半分の値で、遠方瞳孔間距離（ＦＰＤ）の片眼ＰＤを示している。
【００３９】
前記近用瞳孔間距離測定部Ｃは、近方視しているときの近用瞳孔間距離（ＮＰＤ）を測定する部分で、前記瞳孔間距離測定用窓５Ｌ、５Ｒと、ＰＤ用水平基準線８と、それぞれ前記ＰＤ用水平基準線８を基準とした左右眼の瞳孔の横方向の位置を読取るための左眼近用瞳孔水平位置読取用表示目盛３０Ｌおよび右眼近用瞳孔水平位置読取用表示目盛３０Ｒとを備えている。各瞳孔水平位置読取用表示目盛３０Ｌ、３０Ｒは、プレート本体２Ａの下端縁６と、各瞳孔間距離測定用窓５Ｌ、５Ｒの下縁に沿ってそれぞれ１ｍｍ間隔で表示され、プレート本体２Ａの中心Ｏからの距離を示す２０ｍｍ、３０ｍｍの数値３１がそれぞれ表示されている。この数値３１は、左右のフレーム枠の幾何学中心点間距離の半分の値で、近方瞳孔間距離（ＮＰＤ）の片眼ＰＤを示している。
【００４０】
前記頂点間距離測定部Ｄは、レンズの後側頂点と角膜前面頂点との距離（頂点間距離）を測定する部分で、被検者の側方からの測定を可能にする頂点間距離測定用表示目盛３３と、眼鏡フレームの上方からの測定を可能にする２つの頂点間距離測定用表示目盛３４、３５とを備えている。側方からの測定を可能にする頂点間距離測定用表示目盛３３は、プレート本体２Ａの左端より右方に延在するように、前記ＰＤ用水平基準線８の上方に１ｍｍ間隔で表示され、前記ＰＤ用水平基準線８と直交する垂直線３７からの距離（頂点間距離）を示す５ｍｍ、１０ｍｍ、１５ｍｍ、２０ｍｍ、２５ｍｍの数値３６が表示されている。前記垂直線３７は、プレート本体２Ａの左側縁、言い換えれば拡がり部２Ｂの右側縁１２と一致している。
【００４１】
前記頂点間距離測定用表示目盛３４は、前記拡がり部２Ｂの右側縁１２に沿って１ｍｍ間隔で表示され、広がり部２Ｂの下端１２ａを零として頂点間距離を示す数値３８が５ｍｍ間隔で上方に向かって表示されている。
【００４２】
前記頂点間距離測定用表示目盛３５は、前記垂直線３７より前記拡がり部２Ｂの左端３９に向かって１ｍｍ間隔で表示され、前記垂直線３７からの距離（頂点間距離）を示す数値４０が５ｍｍ間隔で表示されている。拡がり部２Ｂの左端３９は、前記ＰＤ用水平基準線８上に位置し、略垂直な平坦面１４ｆを形成している。
【００４３】
前記傾斜角測定部Ｅは、眼鏡レンズの傾斜角（前傾角）を測定する部分で、傾斜角測定用垂直基準線４２と、この垂直基準線４２に対してそれぞれ異なった角度で交差する３本の傾斜角測定用表示目盛４３ａ〜４３ｃとを備え、各表示目盛４３ａ〜４３ｃには前記傾斜角測定用垂直基準線４２に対する眼鏡レンズの前傾角を示す５°、１０°、１５°の数値４４がそれぞれ表示されている。傾斜角測定用垂直基準線４２は、プレート本体２Ａの右端寄りに形成され、上端が前記矩形切欠部４の角部と略一致している。
【００４４】
前記凸面カーブ測定部Ｆは、眼鏡レンズの凸面カーブ（Ｌカーブ）を測定する部分で、前記拡がり部２Ｂの左側縁部１３に形成された、屈折率Ｎｄ＝１．５３換算で２、４、６、８カーブ（Ｂ．Ｃ）の凹曲面部１４ａ〜１４ｄからなり、各凹曲面部１４ａ〜１４ｄにはレンズの凸面カーブを示す２、４、６、８の数値４６が表示されている。表１に屈折率Ｎｄ＝１．５３で換算した凸面カーブと曲率半径の関係を示す。
【００４５】
【表１】
2009092509.tif 000003
【００４６】
前記レンズ径測定部Ｇは、レンズ径を測定する部分で、前記ＰＤ用水平基準線８と垂直線３７との交点Ｏ1 を中心として拡がり部２Ｂに同心円状に形成された５本のレンズ径測定用曲線４８ａ〜４８ｅを備え、各曲線４８ａ〜４８ｅには対応するレンズ径を表示する５５φ、６０φ、６５φ、７０φ、７５φ、８０φの数値４９が表示されている。
【００４７】
前記回旋測定部Ｈは、左右眼の下方回旋量を測定する部分で、下方回旋量を読み取る左眼回旋測定用表示目盛５０Ｌと、右眼の下方回旋量を読み取る右眼回旋測定用表示目盛５０Ｒとを備えている。これらの表示目盛５０Ｌ、５０Ｒは、プレート本体２Ａの凹部７を挟んでその両側に下端縁６から斜め上方に向かって表示され、高さ方向の回旋量を示す５、１０の数値５１が表示されている。また、各表示目盛５０Ｌ、５０Ｒは、それぞれ左右一対の平行な目盛として表示されている。なお、これらの表示目盛５０Ｌ、５０Ｒは、頂点間距離を測定する目盛を兼用している（後述する）。
【００４８】
前記アイポイント高さ測定部Ｉは、アイポイント高さ（ＥＰＨＩ）を測定する部分で、プレート本体２Ａの左端と拡がり部２Ｂにそれぞれ１ｍｍ間隔で表示された２つのアイポイント高さ測定用表示目盛５３Ａ、５３Ｂを備え、またこれらの表示目盛５３Ａ、５３Ｂにはアイポイント高さを示す数値５４が５ｍｍ間隔でそれぞれ表示されている。アイポイント高さ測定用表示目盛５３Ａおよび５３Ｂは、前記頂点間距離測定用表示目盛３３および３５と同一の目盛を形成している。
【００４９】
前記視力判定用測定部Ｊは、通常のレンズまたはコンタクトレンズによる視力矯正が可能か否かを測定する部分で、拡がり部２Ｂの不透明部３ｂに形成された２つのピンホール（ＰＨ）５５ａ、５５ｂを備えている。ピンホール５５ａ、５５ｂの穴径は、それぞれ１ｍｍφと２ｍｍφであり、被検者の都合の良い方を用いて検査を行なう。
【００５０】
さらに、プレート２の表面には、上記した１０個の測定部Ａ〜Ｊの他に近点指標Ｋと、簡易な計算換算表６５および物差しＭが表示され、また裏面上部には物差しＭと簡易な計算換算表６６、６７が表示されている。
【００５１】
前記近点指標Ｋは、近点距離を測定するためのもので、前記ＰＤ用水平基準線８の一部と、これと直交する垂直線９と、これらの線８、９の周りに表示された４本の太いＬ字状の線６０とで構成されている。
【００５２】
物差しＭは、プレート本体２Ａの上端縁１１に沿って形成され、切欠部４の垂直壁から１ｍｍ間隔で１４０ｍｍの長さを有している。
【００５３】
計算換算表６５、６６、６７は、前記物差しＭと、瞳孔間距離測定用窓５Ｌ、５Ｒとの間に表示されている。なお、計算換算表６５、６６、６７については後述する。
【００５４】
上記した眼鏡用測定具１の測定項目と簡易計算表６５〜６７の一覧を表２に示す。
【００５５】
【表２】
2009092509.tif 000004
【００５６】
次に、眼鏡用測定具１による各測定部Ａ〜Ｊと近点指標Ｋによる測定方法を図３〜図１６に基づいて説明する。
図３〜図４は眼眼鏡レンズの反り角の測定を説明するための図で、図３は外反り角の測定、図４は内反り角の測定状態を示す。反り角を測定するときは、プレート２を各種測定部Ａ〜Ｊが表示されている前面を上に向けて水平にかつ左右逆にして、眼鏡フレーム７０の上に載せる。そして、ブリッジ側リム後端面に反り角測定用水平基準線２０を合わせ、耳側リム後面の位置が左レンズ用および右レンズ用の反り角表示目盛２１Ｌ、２１Ｒのどの角度表示目盛（２１ａ〜２１ｆ）と一致するかを読取り、その一致した角度表示目盛から左右のレンズ７１Ｌ、７１Ｒの反り角を読み取る。例えば、図３に示すように耳側リム後面の位置が角度表示目盛２１ｂと２１ｃとの中間に位置する場合は、外反り角１２．５°と測定する。また、図４に示すように耳側リム後面の位置が角度表示目盛２１ａと一致する場合は、内反り角−５°と測定する。このように被検者が眼鏡をかけた状態における眼鏡の反り角を手軽に測定することができる。これにより左右のレンズ７１Ｌ、７１Ｒが反り角が均等であるか否かを確認することができる。
【００５７】
ここで、反り角の測定に際しては、プレート２を左右逆にして測定するため、被検者の眼に対して左レンズ用と右レンズ用の反り角表示目盛２１Ｌ、２１Ｒの添え字（Ｌ：Ｌｅｆｔ）とＲ（Ｒｉｇｈｔ）が左右反対になって紛らわしくなっているが、これは他の目盛２６Ｌ、２６Ｒや瞳孔間距離測定用窓５Ｌ、５Ｒの添え字と統一性を保てるようにしたためである。実際の測定においては、添え字Ｌ、Ｒを無視して反り角を読み取れば、さほど問題ではない。また、反り角表示目盛２１Ｌ、２１Ｒは透明部分３ａに表示されているので、プレート２を裏表逆にして使用すれば（目盛の読取りが可能であるため）、レンズ７１Ｌ、７１Ｒと反り角表示目盛２１Ｌ、２１Ｒの添え字Ｌ、Ｒを一致させて読み取ることができる。
【００５８】
図１０はレンズの傾斜角（前傾角）の測定を説明するための図である。
測定に際しては、プレート２を水平に保持してレンズ上方または眼鏡フレーム７０の上リムの後方（または前方）を傾斜角測定用垂直基準線４２に合わせ、レンズ７１の下縁または下リムの後面の位置を傾斜角測定用表示目盛４３ａ〜４３ｃで目測し、その傾斜角度を読取る。
【００５９】
眼鏡レンズは、視線とレンズの主軸が一致するとき、その屈折系の収差を最もよく補正するように設計されている。一方、遠方視するとき、その視線は水平線に対して５〜１０°下方に傾いている。したがって、遠方用眼鏡は常用視線とレンズの光軸を一致させるためにフレーム枠に５〜１０°の前傾角を与える必要がある。近方用眼鏡は手元で下方を見る前提で前傾角が１２〜１５°に設定される。遠近両用タイプは前傾角を１０〜１２°に設定することが望ましい。以上を目安に前傾角が適切に保持されているか否かを眼鏡製作前後で計測し確認することが大切である。
【００６０】
図７〜図９は頂点間距離の測定を説明するための図で、図７および図９は上方から測定している状態、図８は側方から測定している状態である。
図７において、上方から頂点間距離を測定するときは、プレート２の拡がり部２Ｂの平坦面１４ｉを角膜頂点Ｗに合わせ、レンズ７１の前側頂点Ｑまでの距離を目測し、頂点間距離測定用表示目盛３４で読み取り、レンズ７１の中心肉厚を差し引いた値を頂点間距離とする。また、同様に、拡がり部２Ｂの平坦面１４ｆを角膜頂点Ｗに合わせると、レンズの前側頂点Ｑまでの距離を頂点間距離測定用表示目盛３５によって読み取り、レンズ７１の中心肉厚を差し引いた値を頂点間距離とすることができる。
【００６１】
被検者の側方から読み取る場合は、図８に示すようにレンズ７１の前側頂点Ｑを水平基準線８に合わせ、角膜頂点Ｗまでの距離を目測し、頂点間距離測定用表示目盛３３によって読み取り、レンズ７１の肉厚を差し引いた値を頂点間距離とする。なお、本実施の形態においては、プレート２の略上半分を不透明部分３ｂとし、頂点間距離測定用表示目盛３３を不透明部分３ｂに表示したが、この頂点間距離測定用表示目盛３３が表示されている部分を透明部分にしておくと、被検者と測定者の間に測定具がある場合でも前記目盛３３による頂点間距離の測定が容易である。
【００６２】
頂点間距離は、概ね１２ｍｍ前後を保持する必要がある（ＪＩＳではレンズ設計の前提条件は眼の回旋中心Ｓより２７ｍｍとなっている）。１２ｍｍより離れていると、装用者にとって、レンズの屈折度はプラス側にずれて近視は弱く、遠視は強く感じ、それよりも近いと装用者にとって、レンズの屈折度はマイナス側にずれて近視は強く、遠視は弱く感じるため、眼鏡製作前後において、左右同距離で適切に保持されているか否かを計測し確認することが大切である。
【００６３】
図９は頂点間距離を上方から測定する他の測定方法を説明するための図である。測定に際しては、プレート２を横にして前面を上方に向け、凹部７を鼻梁に一致させて眼鏡フレーム７０の下に位置させる。そして、プレート２の下端６を角膜頂点Ｗに合わせ、レンズ７１の前側頂点Ｑまでの距離を目測し、表示目盛５０Ｌ、５０Ｒで読み取り、レンズ７１の中心肉厚を差し引いた値を頂点間距離とする。この場合は、被測定者の鼻梁とプレート２の凹部７を一致させて測定するため、左右の頂点間距離が均等になっているかの確認が容易である。
【００６４】
図５はＦＰＤの測定を説明するための図である。
測定に際しては、プレート２のＶ字状凹部７を被検者の鼻梁９０に当てて、左右の瞳孔間距離測定用窓５Ｌ、５Ｒで左右各々の瞳孔ＰＬ、ＰＲの位置を確認し、鼻梁中央から各瞳孔中心までの距離を左眼遠用瞳孔水平位置読取用表示目盛２６Ｌおよび右眼遠用瞳孔水平位置読取用表示目盛２６Ｒによって読み取る。その際、被検者の右眼のＦＰＤを測定する場合は、その前方正面に指先等の目標物７３を置き、これを注視（第１眼位）してもらい、その後方より測定者の左眼ＳＬで瞳孔ＰＲの中心を右眼遠用瞳孔水平位置読取用表示目盛２６Ｒによって読み取る。左眼のＦＰＤを測定する場合は、同様にして測定者の右眼ＳＲで被検者の左眼の瞳孔ＰＲのＦＰＤを左眼遠用瞳孔水平位置読取用表示目盛２６Ｌによって読み取る。
【００６５】
図６はＮＰＤの測定を説明するための図である。
測定に際しては、プレート２のＶ字状凹部７を被検者の鼻梁に当てて、左右の瞳孔間距離測定用窓５Ｌ、５Ｒで左右各々の瞳孔位置を確認し、鼻梁中央から左右の瞳孔中心までの距離を左眼近用瞳孔水平位置読取用表示目盛３０Ｌおよび左眼遠用瞳孔水平位置読取用表示目盛３０Ｒによって読み取る。その際、被検者の左眼のＦＰＤを測定する場合は、被検者の左眼の近業距離Ｄで正面やや斜め下方に指先等の目標物７３を置き、これを注視してもらい、その延長線上後方より測定者の左眼ＳＬで瞳孔中心を左眼遠用瞳孔水平位置読取用表示目盛３０Ｌによって読み取る。右眼のＮＰＤを測定する場合は、同様にして測定者の右眼ＳＲで被検者の右眼の近用瞳孔間距離を右眼近用瞳孔水平位置読取用表示目盛３０Ｒによって読み取る。
【００６６】
図１１はレンズの凸面カーブの測定を説明するための図である。
凸面カーブの測定は、ダミーレンズ９５によりおおよそのカーブを読み取り、レンズ選択や、ヤゲンカーブ選定の目安にする。
【００６７】
測定に際しては、ダミーレンズ９５の凸面が凹曲面部１４ａ〜１４ｄのうちのどの曲面と一致するかを目測し、一致する場合は、その凹曲面部に表示されている数値を読み取る。例えば、凹曲面部１４ｃと略一致するときは、６カーブと測定する。また、例えば凹曲面部１４ｂの曲率半径より大きく、凹曲面部１４ｃの曲率半径よりの小さい場合は、その中間のカーブである７カーブと測定する。
【００６８】
レンズカーブを考慮しなかった場合には、反り角との関連において斜光角度が大きくなったり、無理な枠入れによりレンズのカーブが変化した場合には、見え方をさらに悪化させてしまう危険性がある。さらに、無理な枠入れによるレンズカーブの変化は、レンズそのものに対する大きなストレスとなり、表面に施されているコート被膜に大きな緊張状態をもたらすため、コート被膜のひび割れ（クラック）の促進や、傷やクラックを発端とする被膜剥がれの促進に繋がるため、見え方だけではなくレンズの寿命にも大きな影響を及ぼすので、事前に十分に配慮されるべきである。特に、昨今は上下幅の狭い玉型フレームが増加しているため、このようなフレームの場合にはレンズカーブ、加工カーブを考慮しないと、枠入れ完成時点で横方向に深くなる。このため、枠入れ前後において本眼鏡用測定具１で凸面カーブをチェックすることにより、種々のリスクを低減できることが期待されるものである。
【００６９】
図１２はレンズ径の測定を説明するための図である。
測定に際しては、眼鏡フレーム上のアイポイント位置Ｔに、レンズ径測定部Ｇの測定部幾何学中心であるＰＤ用水平基準線８と垂直線３７との交点Ｏ1 を一致させる。そして、眼鏡フレーム７０の前記交点Ｏ1 から最も離れた部位までの距離Ｄ1 を最大半径（最大有効径）としてレンズ径測定用曲線４８ａ〜４８ｅにより測定する。
【００７０】
被検者の瞳孔間距離（ＦＰＤ、ＮＰＤ）やアイポイント高さ等のデータに基づく加工レイアウトにおいて、事前に最大有効径（Ｄ1 ）を確認することにより、マイナスレンズの場合は、標準径のレンズ７１で縁刷り加工が可能か否かを判断することができる。一方、プラスレンズの場合は、標準径での加工よりも薄く仕上げるための外径指定の根拠とすることができる。
【００７１】
図１３は下方回旋量の測定を説明するための図である。
測定に際しては、プレート２のＶ字状凹部７を被検者の鼻梁９０に当てて、左右の瞳孔間距離測定用窓５Ｌ、５Ｒで左右各々の瞳孔ＰＬ、ＰＲの位置を確認する。また、反り角測定用水平基準線２０上に第１の眼位の瞳孔中心の高さを合わせ、被検者の顔とプレート２を固定した状態で下方を視認させる。そして、瞳孔間距離測定用窓５Ｌ、５Ｒの直下に表示されている左眼回旋測定用表示目盛５０Ｌおよび右眼回旋測定用表示目盛５０Ｒによって、両眼のおおよその下方回旋量およびもしくは回旋角度を計測する。
【００７２】
下方回旋量を測定するときは、補助具としてミラーテーブル８０を用い、その中央に表示した小円８０ａを被検者の近業目的距離Ｄに合わせる。また、プレート２と角膜頂点の間隔を１２ｍｍ前後とし、レンズの傾斜角度を１２°程度とする。そして、このミラーテーブル８０の中央で反射した被検者の左眼の瞳孔ＰＬの反射像を測定者の左眼ＳＬで見て、その反射像に写っている左眼回旋測定用表示目盛５０Ｌにより瞳孔中心を測定する。同様にミラーテーブル８０で反射した被検者の右眼の瞳孔ＰＲの反射像を測定者の右眼ＳＲで見て、その反射像に写っている右眼回旋測定用表示目盛５０Ｒにより瞳孔中心を測定する。
【００７３】
回旋角度は、下方回旋量をａ、回旋中心Ｓからレンズの位置までの距離をｂ、回旋角度をθとすると、三角関数ｔａｎθ＝ａ／ｂによって求めることができる。この回旋角度θは、距離ｂを２７ｍｍ（ＪＩＳ）として測定したときの下方回旋量ａをおおよそ２倍した値であり、例えば、下方回旋量ａが１０、１１、１２、１３、１４、１５ｍｍの場合、回旋角度θは２０．３°、２２．２°、２４．０°、２５．７°、２７．４°、２９．１°となる。
【００７４】
このようなミラーテーブル８０を用いると、近用ＰＤも測定することが可能である。近用ＰＤを測定するときは、ミラーテーブル８０を挟んで被検者と測定者が向かい合い、非測定者のミラーテーブル８０で反射した視線の延長線上に測定者の測定眼をもっていき瞳孔位置を確認する。
【００７５】
図１４および図１５は、それぞれアイポイント高さの測定を説明するための図である。
図１４は、フレーム枠の上下中心線（データムライン）ＤＬをＰＤ用水平基準線８（目盛５３Ａの０の位置）上のアイポイントＩＰの位置に合わせてアイポイント高さをアイポイント高さ測定用表示目盛５３Ａにより測定している状態を示す。
【００７６】
図１５は、フレーム枠１００の最下端を拡がり部２Ｂの平坦面１４ｆに一致させ、ＩＰの位置をアイポイント高さ測定用表示目盛５３Ｂにより前記平坦面１４ｆからの距離として測定している状態を示す。
【００７７】
図１６において、視力判定用測定部Ｊは、上述した通り１ｍｍと２ｍｍのピンホール５５ａ、５５ｂからなり、小径のピンホール５５ａは低、中年齢者用、大径のピンホール５５ｂは光量が不足しやすい高齢者用である。ピンホール５５ａまたは５５ｂを通して指標を見ると絞り効果により焦点深度が深くなり、ピント合わせが容易になるため視力が向上する。この原理を利用すると、屈折補正効果の判定を容易に行なうことができる。
【００７８】
視力判定するときは、片方の眼でピンホール５５ａと５５ｂのいずれか一方を覗いて遠方または近方の指標等を視認する。次に、ピンホール５５ａまたは５５ｂを通さないで視認する。そして、ピンホールを通して視認したときと、ピンホールを通さないで視認したときの見え方を比較する。ピンホールを通して視認したとき、視力が向上すれば一般のレンズやコンタクトレンズによる視力向上が可能であると判断し、視力が向上しない場合は、眼球外部での光学的対応では改善の可能性が低いと判断する。
【００７９】
図１７は、近点指標Ｋによる近点距離の測定を説明するための図である。
プレート２を前後に動かし、近点指標Ｋが不鮮明になるときの近点距離Ｄを別途巻き尺等で測定し、その測定値から眼の調節力を算出する。測定に際しては、複数回測定し、その平均値を求め、調節力を算出する。
【００８０】
近点指標Ｋは、上記した通り細い十字の線８、９と、Ｌ字状の太い線６０の組み合わせからなり、近方視力の程度により視力が不足気味の場合は太い線６０に注目させ、視力が十分な場合は細い線８、９に注目させ、線の鮮明、不鮮明を判断してもらう。被検者の調節力の大小は、近用屈折度を決定する上で重要な要素となり、余分な屈折度の増加は遠用タイプの使い勝手を向上させる。
【００８１】
図１において、簡易計算表６５は、上段が度数、下段が距離ｆ（ｃｍ）を示しており、近点距離測定にて調節力を、近用補正度数を装用しての遠点距離予測と近点距離計算等に適用する簡易計算表である。度数と距離の公式は次式で表される。
Ｄ＝１００／ｆ、  ｆ＝１００／Ｄ
ただし、ｆ：焦点距離→Ｄ：レンズ度数
ｆ：遠点距離→Ｄ：屈折異常度
ｆ：近点距離→Ｄ：調節力
１００／（屈折異常度＋装用レンズ度数）＝レンズ装用時の遠点距離
１００／（屈折異常度＋装用レンズ度数＋調節力）＝装用時の近点距離
【００８２】
前記簡易計算表６５は、明視域計算表で、シニア用の眼鏡（キャリアグラス）は明視域を提供することであり、明視域を考慮して対応することが重要であるため、常に意識してもらうために、よく使われる範囲を一覧で表示している。
【００８３】
前記簡易計算表６６は、プリズム計算表で、非球面設計のレンズが増えたため、プリズム処方を偏心にて行なうケースは減少しているが、アイポイントからのずれによるプリズム作用を考慮することは常に意識すべきである。
【００８４】
プリズム計算表６７は、上段が度数、下段が偏心量Ｈ（ｃｍ）として１プリズムにおけるＤとＨの関係を一覧にまとめて表示している。上段の度数と下段の偏心量を乗ずると１プリズムになる。これを使って度数毎の計算はもとより、プリズム度数の大小での計算が可能である。
プレンテスの公式  Ｐ＝ＨＤ
例１＞  １／１０にすると
０．２５Ｄ→Ｈ＝０．０４（ｃｍ）
０．７５Ｄ→Ｈ＝０．０１３（ｃｍ）
例２＞  Ｐ４Δの場合は下段を４倍に
２．５０Ｄ→Ｈ＝１．６（ｃｍ）
５．００Ｄ→Ｈ＝０．８（ｃｍ）
【００８５】
前記簡易計算表６７は、プリズムによる変位量計算表で、プリズム作用で距離によって物がずれる量が変化するが、非球面設計を使用した場合において、眼から一定距離にあるレンズ上の視線通過位置を考慮することで、理想的な非球面効果が期待できる。
【００８６】
また、簡易計算表６７は、上段がプリズムからの距離、下段がＰ1 Δの場合の像のずれ量を表示しており、これを使ってプリズム度数と目標物までの距離による像の移動量を算出する。また、視線のレンズ上の通過位置の変化量も計算できるようにした。
Ｐ1 Δ：１ｍ離れたところで１ｃｍずれる（１０００ｍｍ：１０ｍｍ）
例１＞回旋中心からレンズまでの距離を２５ｍｍとすると、１Ｐ：０．２５ｍｍ、４プリズムではレンズ上で１ｍｍのずれが生じることが判る。
【００８７】
このように本発明に係る眼鏡用測定具１によれば、選択されたレンズが装用者の顔に対してより理想的にフィッティングされる上で必要項目を簡単に測定することができ、多目的タイプの測定具を提供することができる。精密な測定は、ＰＤメータ・カーブ計や肉厚計等の専用の測定装置によって行うので、それを代替するものではないが、店頭対応において快適な眼鏡製作のための概略の方向性を決める上できわめて有用な測定具といえる。
【００８８】
なお、本発明に係る眼鏡用測定具１は、プラスチックフレーム、メタルフレーム、ブローラインフレーム、ツーポイントフレーム、ナイロン線フレーム等の枠部の形状、材質が異なる各種の眼鏡フレームに対して共通に使用されるものである。
【００８９】
また、本発明に係る眼鏡用測定具１は、透明部分３ａに表示されている測定部については、プレート２を前後反転させて測定することが可能である。
【図面の簡単な説明】
【００９０】
【図１】本発明に係る眼鏡用測定具の一実施の形態を示す正面図である。
【図２】眼鏡用測定具の要部の背面図である。
【図３】眼眼鏡レンズの反り角の測定を説明するための図である。
【図４】眼眼鏡レンズの反り角の測定を説明するための図である。
【図５】ＦＰＤの測定を説明するための図である。
【図６】ＮＰＤの測定を説明するための図である。
【図７】頂点間距離の測定を説明するための図である。
【図８】頂点間距離の他の測定方法を説明するための図である。
【図９】頂点間距離のさらに他の測定方法を説明するための図である。
【図１０】レンズの傾斜角（前傾角）の測定を説明するための図である。
【図１１】レンズの凸面カーブの測定を説明するための図である。
【図１２】レンズ径の測定を説明するための図である。
【図１３】下方回旋量の測定を説明するための図である。
【図１４】アイポイント高さの測定を説明するための図である。
【図１５】アイポイント高さの測定を説明するための図である。
【図１６】視力判定用測定部Ｊを示す図である。
【図１７】近点指標による近点距離の測定を説明するための図である。
【符号の説明】
【００９１】
１…眼鏡用測定具、２…プレート、２Ａ…プレート本体、２Ｂ…拡がり部、３ａ…透明部分、３ｂ…不透明部分、５Ｌ、５Ｒ瞳孔間距離測定用窓、８…ＰＤ用水平基準線、１４ａ〜１４ｄ…凹曲面部、２０…反り角測定用水平基準線、２１Ｌ…左レンズ用反り角表示目盛、２１Ｒ…右レンズ用反り角表示目盛、２６Ｌ…左眼遠用瞳孔水平位置読取用表示目盛、２６Ｒ…右眼遠用瞳孔水平位置読取用表示目盛、３０Ｌ…左眼近用瞳孔水平位置読取用表示目盛、３０Ｒ…右眼遠用瞳孔水平位置読取用表示目盛、３３〜３５…頂点間距離測定用表示目盛、４８ａ〜４８ｅ…レンズ径測定用曲線、４２…傾斜角測定用垂直基準線、４３ａ〜４３ｃ…傾斜角測定用表示目盛、５０Ｌ…左眼回旋測定用表示目盛、５０Ｒ…右眼回旋測定用表示目盛、５３Ａ、５３Ｂ…アイポイント高さ表示用目盛、５５ａ、５５ｂ…ピンホール、７０…眼鏡フレーム、Ａ…反り角測定部、Ｂ…遠用瞳孔間距離測定部、Ｃ…近用瞳孔間距離測定部、Ｄ…頂点間距離測定部、Ｅ…傾斜角測定部、Ｆ…凸面カーブ測定部、Ｇ…レンズ径測定部、Ｈ…回旋測定部、Ｉ…アイポイント高さ測定部、Ｊ…視力判定用測定部、ＰＬ、ＰＲ…瞳孔。
【図１】
2009092509.tif 000005
【図２】
2009092509.tif 000006
【図３】
2009092509.tif 000007
【図４】
2009092509.tif 000008
【図５】
2009092509.tif 000009
【図６】
2009092509.tif 000010
【図７】
2009092509.tif 000011
【図８】
2009092509.tif 000012
【図９】
2009092509.tif 000013
【図１０】
2009092509.tif 000014
【図１１】
2009092509.tif 000015
【図１２】
2009092509.tif 000016
【図１３】
2009092509.tif 000017
【図１４】
2009092509.tif 000018
【図１５】
2009092509.tif 000019
【図１６】
2009092509.tif 000020
【図１７】
2009092509.tif 000021